(57)【特許請求の範囲】
【請求項１】
レジスタ本体の通風路内に、前可動ルーバと後可動ルーバが、前後して且つ前フィンと後フィンを直交させて設けられ、該前可動ルーバの前フィンに操作ノブが、長手方向に摺動可能に外嵌され、該操作ノブの後部に係合脚部が回動可能に枢支され、該操作ノブを該前フィン上で摺動させたとき、該係合脚部を後可動ルーバの該後フィンに係合させて後可動ルーバの向きを変えるレジスタの操作ノブ装置において、
該操作ノブは、合成樹脂により一体成形され、
該操作ノブ内には、該前フィンを挿通させる横方向挿通孔が形成されるとともに、該係合脚部を嵌入させるための開口凹部が該操作ノブの後部に形成され、
該係合脚部の前部両側に突設された軸部を受ける軸受孔が、該開口凹部の両側に設けられ、
該前フィンの後縁部にストッパ円柱部が、該前フィンの長手方向と平行に突設され、該ストッパ円柱部は該軸受孔を通過可能な形状に形成され、
該係合脚部の両側の該軸部間には、該ストッパ円柱部が入るためのガイド凹部が設けられ、
該係合脚部は、該操作ノブの該横方向挿通孔に該前フィンを挿通させた状態で、該操作ノブの該開口凹部に嵌入され、且つ該両側の軸部を該軸受孔に回動可能に嵌合させて組み付けられることを特徴とするレジスタの操作ノブ装置。
【請求項２】
前記操作ノブ内の前部に、荷重付与部材を収容する収容部が設けられ、該荷重付与部材が前記前フィンの前縁部に接触して該収容部内に収容されたことを特徴とする請求項１記載のレジスタの操作ノブ装置。
【請求項３】
前記操作ノブの開口凹部の両側に、前記係合脚部の軸部を該操作ノブの前記軸受孔に嵌入するために、傾斜凹部が設けられたことを特徴とする請求項１記載のレジスタの操作ノブ装置。
【請求項４】
前記操作ノブの前記開口凹部内の上下には、後方に向けて開くように、傾斜面が形成されたことを特徴とする請求項３記載のレジスタの操作ノブ装置。
【請求項５】
前記前フィンの後縁部に、ガイドリブが長手方向に沿って設けられ、前記ストッパ円柱部は、該ガイドリブの背面に該ガイドリブと平行に突設され、前記係合脚部の両側に設けた軸部の外周面が、該ガイドリブに摺動可能に接触することを特徴とする請求項１記載のレジスタの操作ノブ装置。
【発明の詳細な説明】
【技術分野】
【０００１】
本発明は、自動車室内等の換気や空調の空気吹出に使用されるレジスタの操作ノブ装置に関し、特に、クロスフィン型のレジスタに好適な操作ノブ装置に関する。
【背景技術】
【０００２】
自動車用の空調用レジスタとして、風向等を調整するためにベゼル及びリテーナ内の通風路内に、前可動ルーバ及び後可動ルーバが各フィンを直交するように配設され、前可動ルーバのフィンに操作ノブをスライド可能に外嵌させ、操作ノブの操作により、前可動ルーバ及び後可動ルーバの方向を上下左右に変える構造を持った、所謂クロスフィンタイプのレジスタが知られている。
【０００３】
この種のレジスタで使用される、前可動ルーバの前フィンに摺動可能に外嵌された操作ノブは、下記特許文献１に記載されるように、ノブ本体の後部（上流側）に係合脚部が突き出すように設けられ、後方の後可動ルーバの後フィンに、その係合脚部を係合可能な係合部が設けられ、操作ノブの摺動により後可動ルーバの向きを変えるように構成される。
【先行技術文献】
【特許文献】
【０００４】
【特許文献１】実用新案登録第３１７６６０７号公報
【発明の開示】
【発明が解決しようとする課題】
【０００５】
しかしながら、このレジスタの操作ノブは、ノブ本体と、ノブ本体の前部に取り付けられる嵌着される加飾部と、ノブ本体の上側を覆って嵌着されるノブカバーと、ノブ本体の後部に上下回動可能に軸支されるアーム部と、から構成され、これらの部材からなる操作ノブは、各部材が、前フィンの外周部を包囲するように、前フィンの外周部に摺動可能に組み付けられ、前フィン上に摺動可能に装着される。しかし、操作ノブを構成する小形の部品は、数が多いため、それらの組付け作業に時間がかかり、組付工数が多くなる課題があった。
【０００６】
また、ノブ本体、加飾部、ノブカバー、アーム部は合成樹脂により成形され、各部材には、その製造時、寸法公差内の誤差が少なからず発生する。このような各部材の寸法誤差が合算され拡大すると、前フィンと操作ノブの接触箇所との間に、隙間が生じやすい。また、前フィンと操作ノブの接触部分間の隙間の大きさは、製品ごとにばらつき、場合によっては、操作ノブにガタツキが生じる課題があった。
【０００７】
本発明は、上記の点に鑑みなされたもので、前フィンに対し操作ノブを簡単に組み付けることができ、ガタツキなく安定した操作荷重を生じさせることができるレジスタの操作ノブ装置を提供することを目的とする。
【課題を解決するための手段】
【０００８】
上記目的を達成する本発明のレジスタの操作ノブ装置は、
レジスタ本体の通風路内に、前可動ルーバと後可動ルーバが、前後して且つ前フィンと後フィンを直交させて設けられ、該前可動ルーバの前フィンに操作ノブが、長手方向に摺動可能に外嵌され、該操作ノブの後部に係合脚部が回動可能に枢支され、該操作ノブを該前フィン上で摺動させたとき、該係合脚部を後可動ルーバの該後フィンに係合させて後可動ルーバの向きを変えるレジスタの操作ノブ装置において、
該操作ノブは、合成樹脂により一体成形され、
該操作ノブ内には、該前フィンを挿通させる横方向挿通孔が形成されるとともに、該係合脚部を嵌入させるための開口凹部が該操作ノブの後部に形成され、
該係合脚部の前部両側に突設された軸部を受ける軸受孔が、該開口凹部の両側に設けられ、
該前フィンの後縁部にストッパ円柱部が、該前フィンの長手方向と平行に突設され、該ストッパ円柱部は該軸受孔を通過可能な形状に形成され、
該係合脚部の両側の該軸部間には、該ストッパ円柱部が入るためのガイド凹部が設けられ、
該係合脚部は、該操作ノブの該横方向挿通孔に該前フィンを挿通させた状態で、該操作ノブの該開口凹部に嵌入され、且つ該両側の軸部を該軸受孔に回動可能に嵌合させて組み付けられることを特徴とする。
【０００９】
なお、上記前または前部は、レジスタの正面側または通風路の下流側を意味し、上記後または後部は、レジスタの背面側または通風路の上流側を意味する。
【００１０】
この発明によれば、製造時、操作ノブの横方向挿通孔に前フィンを挿通させた状態で、係合脚部を操作ノブの開口凹部に嵌入され、両側の軸部を軸受孔に回動可能に嵌合させるだけの非常に簡単な作業で、操作ノブ装置を前フィンに組み付けることができる。
【００１１】
また、操作ノブ装置は、前フィンに摺動可能に外嵌される操作ノブと、操作ノブの後部に回動可能に枢支される係合脚部とから構成され、操作ノブは合成樹脂により一体成形されるので、製造時、寸法公差内の誤差が生じたとしても、複数の部品の誤差が合算されて操作ノブの寸法誤差が拡大することはなく、操作ノブと前フィンの嵌め合い寸法（嵌め合い状態）は、一定となる。このため、操作ノブに、寸法公差によるガタツキが生じる不具合は、防止され、安定した性能の操作ノブ装置を製造することができる。
【００１２】
また、組付け状態で、上記ストッパ円柱部は上記係合脚部の軸部間のガイド凹部に位置するため、上記操作ノブの摺動操作時、ストッパ円柱部がガイド凹部内を良好に摺動するととともに、移動端でガイド凹部の端部がストッパ円柱部の端部に当接して、操作ノブが停止するので、操作ノブの摺動操作範囲を、比較的簡単な構造により、正確に設定することができる。
【００１３】
ここで、上記操作ノブ内の前部に、荷重付与部材を収容する収容部を設け、収容部内に収容した荷重付与部材を、上記前フィンの前縁部に接触させるように構成することができる。これによれば、操作ノブに安定した操作荷重を付与することができる。
【００１４】
またここで、上記操作ノブの開口凹部の両側に、傾斜凹部を設けることが好ましい。これによれば、上記係合脚部を開口凹部に嵌入して、両側の軸部を操作ノブの軸受孔に嵌入する際、該傾斜凹部を経て該軸部を容易に該軸受孔に嵌入することができる。
【００１５】
またここで、上記操作ノブの上記開口凹部には、上下の開口面が後方に向けて開くように、上下に傾斜面を形成することが好ましい。これによれば、操作ノブを上下に傾動操作したときの、操作ノブと係合脚部間の角度範囲を大きくさせることができる。
【００１６】
またここで、上記前フィンの後縁部にガイドリブを長手方向に沿って設け、上記係合脚部の両側に設けた軸部の外周面を、該ガイドリブに摺接させる構成とすることが好ましい。これによれば、操作ノブをガタツキなく、良好に摺動操作することができる。
【発明の効果】
【００１７】
本発明のレジスタの操作ノブ装置によれば、前フィンに対し操作ノブを簡単に組み付けることができ、操作ノブにガタツキが生じず、安定して操作ノブを円滑に摺動操作することができる。
【図面の簡単な説明】
【００１８】
【図１】本発明の一実施形態を示す、ベゼルを外した状態の、レジスタの正面図である。
【図２】同レジスタの斜視図である。
【図３】同レジスタの分解斜視図である。
【図４】（ａ）は操作ノブ装置の正面側からの斜視図、（ｂ）は背面側からの斜視図である。
【図５】（ａ）は操作ノブ装置の平面図、（ｂ）はその左側面図である。
【図６】操作ノブ装置の分解斜視図である。
【図７】操作ノブ装置を組み立てる際の、正面側から見た分解斜視図である。
【図８】操作ノブ装置を組み立てる際の、背面側から見た分解斜視図である。
【図９】（ａ）は操作ノブの正面図、（ｂ）は同平面図、（ｃ）は同左側面図、（ｄ）同背面図である。
【図１０】（ａ）は係合脚部の正面図、（ｂ）は同左側面図、（ｃ）は同平面図である。
【図１１】（ａ）は前フィンの正面図、（ｂ）は同左側面図、（ｃ）は同平面図、（ｄ）は同背面図である。
【図１２】図１のＡ−Ａ断面図である。
【図１３】（ａ）は図１のＢ−Ｂ断面図、（ｂ）は前フィンを下に振ったときの同Ｂ−Ｂ断面図、（ｃ）は前フィンを上に振ったときの同Ｂ−Ｂ断面図である。
【図１４】後可動ルーバを右に振った状態の、図１２に対応した断面図である。
【図１５】後可動ルーバを左に振った状態の、図１２に対応した断面図である。
【発明を実施するための形態】
【００１９】
以下、本発明の一実施形態を図面に基づいて説明する。図１〜図３は車両のインストルメントパネルなどに装着される空調用のレジスタを示している。図１に示すように、レジスタの外殻を形成するレジスタ本体１は、ダクト状に形成された第１リテーナ２と、第１リテーナ２の前部に嵌着される第２リテーナ３とから構成される。なお、第２リテーナ３の前部にベゼルが嵌着されるが、図１等において、内部機構を見やすくするために、ベゼルの図示は省略している。
【００２０】
第１リテーナ２の前部内には、図２，３に示すように、第２リテーナ３を嵌入させるために、嵌入用凹部が形成され、第２リテーナは、前可動ルーバ４と後可動ルーバ５を内部に取り付けた状態で、第１リテーナ２の嵌入用凹部に嵌入されて組み付けられる。第１リテーナ２と第２リテーナからなるレジスタ本体１内には、図３に示すように、通風路９が形成され、第２リテーナ３の前部に、空気吹出口７が形成される。通風路９内には、前可動ルーバ４及び後可動ルーバ５が、相互に直交する方向に前後して配設され、クロスフィンタイプのレジスタを構成している。
【００２１】
前可動ルーバ４は、１枚の前フィン４１を、通風路９内の上下略中央位置に、水平横方向に向けて配置し、前フィン４１の両側の支軸４２は、第２リテーナ３の前部の側壁に設けた軸受部に、回動可能に軸支される。なお、前可動ルーバ４には、複数の前フィンを上下に間隔をおいて平行に配置し、各前フィンの端部を１本のリンクバーにより連結し、各前フィンが連動して上下に傾動するように構成することもできる。この場合、略中央に配設される１枚の前フィンに、操作用の操作ノブが装着されることとなる。
【００２２】
前可動ルーバ４の前フィン４１には、図１１に示すように、両端部に支軸４２が前フィン４１の長手方向と平行に突設される。さらに、支軸４２の後部側には、ガイド凸部４５が突設される。ガイド凸部４５は、組付状態で、第２リテーナ３の側壁に設けたガイド溝に嵌入され、前フィン４１の回動（傾動）をガイドして、その傾動範囲を設定する。
【００２３】
さらに、前フィン４１の後縁部には、ガイドリブ４３が長手方向に沿って突設され、ガイドリブ４３上の略中央に、ストッパ円柱部４６が前フィン４１の長手方向と平行に突設される。このストッパ円柱部４６は、後述の操作ノブ１１が装着される位置に対応して設けられる。さらに前フィン４１の中央部近傍の上面と下面には、２本の細いガイドリブ４４が前フィン４１の長手方向と平行に設けられる。このガイドリブ４４は、その部分に外嵌される操作ノブ１１の内側に摺接し、操作ノブ１１の摺動抵抗を低減し、ガタツキを防止する。
【００２４】
前可動ルーバ４の前フィン４１には、操作ノブ装置１０の操作ノブ１１が、図４に示すように、左右横方向に摺動可能に外嵌される。操作ノブ１１は、図９に示す形状に、合成樹脂の射出成形により一体成形され、前フィン４１を挿通させるために、操作ノブ１１内の横方向に貫通して、横方向挿通孔１２が形成される。
【００２５】
操作ノブ１１内には、図１２に示す如く、荷重付与部材８を収容するための収容部１６が形成される。収容部１６内に収容される荷重付与部材８は、熱可塑性エラストマーなどから、図６、図１２に示すように直方体形状に形成され、前フィン４１の前縁部に当接する当接部が突設される。これにより、組付けた状態で、荷重付与部材８の当接部は、適度な押圧力を持って前フィン４１の前縁部に摺動可能に当接する状態となる。
【００２６】
さらに、操作ノブ１１における横方向挿通孔１２の後部には、後述の係合脚部３０の軸部３２を嵌入させる軸受孔１３が形成される。図８、図９に示すように、操作ノブ１１の後部には、係合脚部３０を嵌め込むために、開口凹部１４が、横方向挿通孔１２を後方に開口する形態で形成され、開口凹部１４の両側に軸受孔１３が横方向に形成される。
【００２７】
この操作ノブ１１の後部両側に設けた軸受孔１３は、内部の横方向挿通孔１２と連通して一体的に形成され、前フィン４１を横方向挿通孔１２に挿入したとき、前フィン４１の後部に突設されるストッパ円柱部４６が、この軸受孔１３を通過可能に、軸受孔１３の内径及びストッパ円柱部４６の外形形状が形成されている。
【００２８】
また、操作ノブ１１の開口凹部１４の両側には、係合脚部３０の軸部３２を軸受孔１３に嵌入させるために、図８，９に示す如く、傾斜凹部１５が形成される。両側の傾斜凹部１５は、図１２に示す如く、後方に開くように傾斜して形成され、係合脚部３０の軸部３２を傾斜凹部１５から軸受孔１３に、容易に嵌め込むことができるようにしている。
【００２９】
さらに、操作ノブ１１の開口凹部１４内の上下には、図８などに示す如く、傾斜面１４ａが後方に開くように形成される。開口凹部１４内に装着された係合脚部３０は、図１３に示すように、この上下の傾斜面１４ａによって、係合脚部３０の回動を許容し、係合脚部３０が上下に十分広い角度範囲で操作ノブ１１に対し回動できる構造となっている。上記構成により、図７に示す如く、操作ノブ１１の横方向挿通孔１２及び軸受孔１３の形状は、ストッパ円柱部付きの前フィン４１を、横方向から真直ぐに挿入可能な形状となっている。
【００３０】
操作ノブ１１の後部の開口凹部１４には、前フィン４１を挿通した状態で、係合脚部３０が、その軸部３２嵌入して傾動可能に取り付けられる。係合脚部３０は、図１０などに示す如く、横長形状の基部３１の後方に、二又状の脚部３３を突設して形成され、基部３１の両側に、軸部３２が基部３１の長手方向と平行に形成され、両側の軸部３２と軸部３２の間に、ガイド凹部３４が形成される。ガイド凹部３４は、図１２に示すように、上記ストッパ円柱部４６が挿入可能な大きさに形成され、二又状の脚部３３は、後フィン５１の係合軸部５３を挿入可能な間隔を有して形成される。
【００３１】
このガイド凹部３４は、操作ノブ１１の開口凹部１４に係合脚部３０を嵌入したとき、前フィン４１のストッパ円柱部４６がガイド凹部３４内に入り、操作ノブ１１の摺動操作時、ストッパ円柱部４６が相対的にガイド凹部３４内を摺動し、ストッパ円柱部４６の両側端部がガイド凹部３４の両側端部に当接する範囲で、移動可能に形成される。これにより、図４に示すように、係合脚部３０を操作ノブ１１の開口凹部１４に嵌入し、両側の軸部３２を軸受孔１３に嵌入した状態で、操作ノブ１１は前フィン４１上を所定の範囲で摺動移動可能に装着される。
【００３２】
図３、図１２，１３に示すように、通風路９内の前可動ルーバ４の上流側（後側）に後可動ルーバ５が配設される。後可動ルーバ５は、複数の後フィン５１を一定の左右間隔で縦方向に配置し、各後フィン５１は突設された上下の支軸５２を、第２リテーナ３内の上下に設けた軸受部の軸孔にはめ込み、左右に回動可能に軸支される。後可動ルーバ５は、図３に示すように、各後フィン５１の上端部に連結軸５４が偏位して突設され、各後フィン５１の連結軸５４に１本のリンク部材５５が連結され、全ての後フィン５１が連動してその向きを左右に変える。
【００３３】
さらに、中央の後フィン５１の前部には、棒状の係合軸部５３が縦方向に設けられ、操作ノブ１１の係合脚部３０の脚部３３がこの係合軸部５３に係合する。係合軸部５３の上部と下部には、制限板５６が設けられ、上下の制限板５６は、係合軸部５３に係合した脚部３３が上下に傾動した時、その傾動を制限して係合軸部５３から外れる不具合を防止する。
【００３４】
上記構成の操作ノブ装置１０は、組み付ける場合、先ず、操作ノブ１１内の収容部１６内に、荷重付与部材８を挿入する。次に、図７，８に示す如く、操作ノブ１１の横方向挿通孔１２に対し、前フィン４１を横方向から挿入する。このとき、前フィン４１の後部のストッパ円柱部４６は、軸受孔１３内を通過させ、操作ノブ１１の開口凹部１４内で止めるように挿入する。
【００３５】
次に、この状態で、図７，８に示す如く、操作ノブ１１の後部の開口凹部１４内に、係合脚部３０を嵌入する。このとき、係合脚部３０の両側の軸部３２は、開口凹部１４の両側の傾斜凹部１５を通過して、内側に進入し、その基部３１が弾性変形しながら、両側の軸部３２が操作ノブ１１の両側の軸受孔１３に内側から嵌入する。このようにして、係合脚部３０を操作ノブ１１の開口凹部１４内の所定位置に、非常に簡単に嵌め込むことができる。
【００３６】
この状態で、図１２に示す如く、前フィン４１のストッパ円柱部４６は、操作ノブ１１の開口凹部１５内において、係合脚部３０の両側軸部３２間つまりガイド凹部３４内に位置し、ガイド凹部３４内で摺動且つ回動可能に保持されることとなる。
【００３７】
さらに、この状態で、操作ノブ１１内の荷重付与部材８がその凸部を前フィン４１の前縁部に適度な弾性荷重をもって当接させ、前フィン４１の後縁部のガイドリブ４３は係合脚部３０の軸部３２の外周部に当接した状態となる。このため、操作ノブ１１は、前フィン４１に対しガタツキなく摺動可能に取り付けられ、摺動時には、荷重付与部材８と前フィン４１間に、適度な摩擦抵抗が生じ、操作ノブ１１は適度な操作荷重が付与されて、摺動操作可能に装着される。
【００３８】
また、このような組付け状態で、前フィン４１に対し操作ノブ１１を摺動操作した場合、図１４のように、右方向に操作ノブ１１を摺動させると、ストッパ円柱部４６の左端に、左側の軸部３２の内側が当接して停止し、図１５のように、左方向に操作ノブ１１を摺動させると、ストッパ円柱部４６の右端に、右側の軸部３２の内側が当接して停止する。このため、操作ノブ１１の摺動範囲が、ストッパ円柱部４６により設定される。また、このような操作ノブ１１の摺動時、円柱状のストッパ円柱部４６は係合脚部３０のガイド凹部３４内で相対的に摺動し、操作ノブ１１の移動をガイドすることとなる。
【００３９】
さらに、このような組付け状態で、係合脚部３０は、前フィン４１と操作ノブ１１に対し、両側の軸部３２を中心に回動（傾動）可能となるが、この回動時、ガイド凹部３４内のストッパ円柱部４６が軸部３２と同軸上に位置するため、傾動動作が円滑にガイドされる。
【００４０】
上記のように操作ノブ１１及び係合脚部３０を組み付けた前フィン４１は、図３に示すように、第２リテーナ３内の両側壁部に設けた軸受部に、両側の支軸４２を嵌入して組み付けられ、このとき、係合脚部３０の脚部３３が、図１２のように、第２リテーナ３内の上流側に組み付けられた後フィン５１の前部の係合軸部５３に係合する。
【００４１】
上記構成の操作ノブ装置１０を備えたレジスタは、操作ノブ１１を下に回動させると、図１３（ｂ）のように、前フィン４１が支軸４２を中心に下側に傾動し、送風方向が下方に向けられる。このとき、操作ノブ１１の後部の係合脚部３０は、操作ノブ１１の回動を許容するように上昇し且つ軸部３２を中心に、下側に略くの字状に傾動する。
【００４２】
また逆に操作ノブ１１を上に回動させると、図１３（ｃ）のように、前フィン４１が支軸４２を中心に上側に傾動し、送風方向が上方に向けられる。このとき、操作ノブ１１の後部の係合脚部３０は、操作ノブ１１の回動を許容するように下降し且つ軸部３２を中心に、上側に略くの字状に傾動する。
【００４３】
一方、操作ノブ１１を前フィン４１上で右側に摺動操作すると、図１４のように、操作ノブ１１及び係合脚部３０が右側に移動する。このとき、操作ノブ１１内の荷重付与部材８と前フィン４１が適度な摩擦抵抗をもって摺接し、そこに適度な操作荷重が付与されるので、ガタツキや異音を生じることなく、使用者は円滑に良好なフィーリング感で摺動操作を行うことができる。
【００４４】
またこのとき、ストッパ円柱部４６がガイド凹部３４内を良好に摺動するととともに、移動端でガイド凹部３４の端部がストッパ円柱部４６の端部に当接して、操作ノブ１１が停止するため、操作ノブ１１が制限範囲を超えて移動する不具合は防止される。
【００４５】
上記操作ノブ１１の摺動操作により、後可動ルーバ５は、各後フィン５１が、係合脚部３０の脚部３３と係合軸部５３を介して右側への回動力を受け、右側に回動し、送風方向が右側に向けられることとなる。
【００４６】
一方、逆に操作ノブ１１を前フィン４１上で左側に摺動操作すると、図１５のように、操作ノブ１１及び係合脚部３０が左側に移動し、これにより、後可動ルーバ５は、各後フィン５１が、係合脚部３０の脚部３３と係合軸部５３を介して左側への回動力を受け、左側に回動し、送風方向が左側に向けられる。このときも上記と同様、操作ノブ１１内の荷重付与部材８と前フィン４１が適度な摩擦抵抗をもって摺接し、使用者は円滑に良好なフィーリング感で摺動操作を行うことができる。
【００４７】
またこのときも、ストッパ円柱部４６がガイド凹部３４内を良好に摺動するととともに、移動端でガイド凹部３４の端部がストッパ円柱部４６の端部に当接して、操作ノブ１１が停止するため、操作ノブ１１が制限範囲を超えて移動する不具合は防止される。
【００４８】
このように、上記構成の操作ノブ装置１０は、前フィン４１上に、摺動可能に外嵌される操作ノブ１１と、操作ノブ１１の後部に回動可能に枢支される係合脚部３０とから構成され、操作ノブ１１は合成樹脂により一体成形されるので、製造時、簡単に組み付けることができ、且つ寸法公差内の誤差が生じたとしても、複数の部品の誤差が合算されて操作ノブの寸法誤差が拡大することはなく、操作ノブ１１と前フィン４１の嵌め合い寸法（嵌め合い状態）は、一定となる。このため、操作ノブ１１に、寸法公差によるガタツキが生じる不具合は、防止され、安定した性能の操作ノブ装置１０を製造することができる。
【００４９】
また、組付け状態で、ストッパ円柱部４６が係合脚部３０の軸部３２間のガイド凹部３４に位置するため、操作ノブ１１の摺動操作時、ストッパ円柱部４６がガイド凹部３４内を良好に摺動するととともに、移動端でガイド凹部３４の端部がストッパ円柱部４６の端部に当接して、操作ノブ１１が停止するので、操作ノブ１１の摺動操作範囲を、比較的簡単な構造により、正確に設定することができる。
【符号の説明】
【００５０】
１      レジスタ本体
２      第１リテーナ
３      第２リテーナ
４      前可動ルーバ
５      後可動ルーバ
７      空気吹出口
８      荷重付与部材
９      通風路
１０    操作ノブ装置
１１    操作ノブ
１２    横方向挿通孔
１３    軸受孔
１４    開口凹部
１４ａ  傾斜面
１５    傾斜凹部
１６    収容部
３０    係合脚部
３１    基部
３２    軸部
３３    脚部
３４    ガイド凹部
４１    前フィン
４２    支軸
４３    ガイドリブ
４４    ガイドリブ
４５    ガイド凸部
４６    ストッパ円柱部
５１    後フィン
５２    支軸
５３    係合軸部
５４    連結軸
５５    リンク部材
５６    制限板
【図１】
0006660806.tif 000002
【図２】
0006660806.tif 000003
【図３】
0006660806.tif 000004
【図４】
0006660806.tif 000005
【図５】
0006660806.tif 000006
【図６】
0006660806.tif 000007
【図７】
0006660806.tif 000008
【図８】
0006660806.tif 000009
【図９】
0006660806.tif 000010
【図１０】
0006660806.tif 000011
【図１１】
0006660806.tif 000012
【図１２】
0006660806.tif 000013
【図１３】
0006660806.tif 000014
【図１４】
0006660806.tif 000015
【図１５】
0006660806.tif 000016